(57)【要約】  ＴＤＭＡ（時分割多元接続）技法を用いて別のデバイスと通信する電気通信装置の現在時間を更新するための方法であって、開始時間以降に受信されたＴＤＭＡフレーム数のカウントを使用することによって新しい現在時間を判定するステップ（７６）を含む方法。
2008503750.tif 000002
【特許請求の範囲】
【請求項１】
ＴＤＭＡ（時分割多元接続）技法を使用して別のデバイスと通信する電気通信装置の現在時間を更新するための方法であって、開始時間以降に受信されたＴＤＭＡフレーム数のカウントを使用することによって新しい現在時間を判定するステップを含む方法。
【請求項２】
前記開始時間を不揮発性メモリに記録するステップを含む、請求項１に記載の方法。
【請求項３】
動作可能化されたときに前記現在時間を更新する実時間クロックをさらに備える電気通信装置に関して、前記実時間クロックが動作可能化されているかどうかを検知するために前記実時間クロックの動作状態を検査するステップと、前記実時間クロックが動作可能化されていることが検知されればすぐに前記開始時間を形成するために、前記現在時間を前記不揮発性メモリに記録するステップとを含む、前記各請求項のいずれか一項に記載の方法。
【請求項４】
実時間クロックをさらに備える電気通信装置に関して、前記開始時間を規則正しい間隔で形成するために、前記現在時間を前記不揮発性メモリに自動的に記録するステップを含む、請求項２に記載の方法。
【請求項５】
前記開始時間が記録されると同時に受信されたＴＤＭＡフレーム数を前記不揮発性メモリに記録するステップと、
前記新しい現在時間を判定する時点で、前記開始時間以降に受信されたＴＤＭＡフレーム数のカウントを使用するステップと、
現時点で受信されているフレームに関するＴＤＭＡフレーム数を通知するステップと、
記録された前記ＴＤＭＡフレーム数と、通知された前記フレーム数とを使用して、前記開始時間以降に受信されたＴＤＭＡフレーム数をカウントするステップと
を含む、請求項２〜４のいずれか一項に記載の方法。
【請求項６】
プログラム可能計算機によって実行されたときに前記各請求項のいずれか一項に記載の方法を実行する命令を備えるメモリ。
【請求項７】
ＴＤＭＡ（時分割多元接続）技法を使用して別のデバイスと通信する電気通信装置であって、開始時間以降に受信されたＴＤＭＡフレーム数のカウントを使用して、新しい現在時間を判定するように適応された現在時間を更新するモジュールを備える装置。
【請求項８】
不揮発性メモリ、および、前記開始時間を前記不揮発性メモリに記録するレコーダを備える、請求項７に記載の装置。
【請求項９】
前記開始時間が記録されると同時に受信されたＴＤＭＡフレーム数と、前記新しい現在時間を判定する時点で受信されているＴＤＭＡフレーム数とを使用して、前記開始時間以降に受信されたＴＤＭＡフレーム数の前記カウントを確立するカウンタを備える、請求項８に記載の装置。
【請求項１０】
前記装置は移動電話である、請求項７〜９のいずれか一項に記載の装置。
【発明の詳細な説明】
【技術分野】
【０００１】
本発明は、現在時間を更新するための方法、当該方法を使用する装置、および当該方法を実装するメモリに関する。
【背景技術】
【０００２】
知られている移動電話は、一般に表示ユニット内に示される現在時間を計算するタイマを有する。移動電話が初めて使用されるときは、ユーザはまず、タイマの現在時間を設定する。その後、現在時間は移動電話内の実時間クロック（ＲＴＣ―real time clock―）を使用して自動的に更新される。
【０００３】
実時間クロックを使用して移動電話の現在時間を自動的に更新することは、移動電話の電力が低い場合は不十分な方法となる可能性がある。実際、移動電話の電力が切れておりまたは非常に低いときは、実時間クロックが動作不能化され、現在時間はそれ以上更新されなくなる。したがって、電力が回復されたときに現在時間が正しくならない。
【０００４】
かかる移動電話の一例は、例えば米国特許第６２８２４３１号に開示されている。
【発明の開示】
【発明が解決しようとする課題】
【０００５】
したがって、本発明の一目的は、電話機の実時間クロックが動作不能化されている場合にも機能する、電話機の現在時間を更新するための方法を提供することである。
【課題を解決するための手段】
【０００６】
上記および他の目的に鑑み、本発明に従って電気通信装置の現在時間を更新するための方法であり、開始時間以降に受信されたＴＤＭＡ（Time Division Multiple Access）フレーム数のカウントを使用することによって新しい現在時間を判定するステップを含む方法が提供される。
【０００７】
各ＴＤＭＡフレームは、固定の存続期間を有する。したがって、開始時間から受信されたＴＤＭＡフレームのカウントは、開始時間以降の経過時間の測定値となる。それ故、受信されたＴＤＭＡフレーム数をカウントすることは、移動電話の実時間クロックを使用せずに現在時間を更新する。
【０００８】
請求項２〜４に記載の特徴は、電力が遮断された状況での上記の方法の信頼性を向上させる。
【０００９】
請求項５に記載の特徴は、電気通信装置のスイッチが切られた状態の間に受信されたＴＤＭＡフレーム数をカウントする。
【００１０】
本発明はさらに、添付の特許請求の範囲に記載される方法を実行するのに必要な命令を含むメモリ、ならびにそれらの命令を実施するように適応された電気通信装置に関するものである。
【発明を実施するための最良の形態】
【００１１】
図１は、無線電気通信装置４の一部を示す。図示されるように、無線電気通信装置は、ＧＳＭ無線セルラー移動電話４である。電話機４は、無線信号８を使用して無線セルラー電話網の基地局６と通信する。そうするために、電話機４は、例えば各フレームが４．６１５ミリ秒の所定の存続期間に対応するＴＤＭＡフレームに時間が分割される、ＴＤＭＡ（時分割多元接続）技法を実装している。これ以降、ＴＤＭＡフレームは「フレーム」と呼ばれる。
【００１２】
ＧＳＭ網では、２０４８個の連続したフレームが、マルチ・フレームを形成する。５１個の連続したマルチ・フレームが、スーパー・フレームを形成し、２６個のスーパー・フレームが、ハイパー・フレームを形成する。ハイパー・フレーム内の各フレームは、ハイパー・フレーム内の当該フレームの位置を識別する識別子を有する。例えば、この識別子は、１〜２７１５６４８までの整数であり、ここで１は、ハイパー・フレームの最初のフレームに対応し、２７１５６４８は、ハイパー・フレームの最後のフレームに対応する。ハイパー・フレームは、約３時間２８分５３秒続く。
【００１３】
基地局６には、電話機４との間で無線信号８を送信し受信する、送信機および受信機が備えられている。
【００１４】
図１は、本発明を理解するのに必要な詳細だけを示している。
【００１５】
電話機４は、かかる無線信号を送信しまたは受信するために、同調可能な無線トランシーバ１４と、電源ユニット１６と、ベースバンド・プロセッサ１８とを備える。
【００１６】
トランシーバ１４は、無線信号を送信または受信するアンテナ２０に接続されている。
【００１７】
トランシーバ１４は、受信された無線信号のベースバンド信号への変換またはその逆の変換を行うことができる。換言すれば、トランシーバ１４の主なタスクは、無線信号から搬送波を取り除き、またはかかる搬送波をベースバンド信号に追加することである。
【００１８】
ベースバンド信号は、トランシーバ１４をプロセッサ１８に接続するライン２１を介して、プロセッサ１８とトランシーバ１４の間で交換される。
【００１９】
電源ユニット１６は、トランシーバ１４およびプロセッサ１８など、電話機４のあらゆる電子構成部品に電力を供給するように適応されている。典型的には移動電話の場合、電源ユニット１６は、充電式電池を備える。
【００２０】
電話機４は、その上に現在時間２４が表示され得る表示装置２２も備える。一例として、現在時間２４は、現在の日付と時間とを含む。
【００２１】
電話機４は、表示される現在時間を更新する従来のタイマ３０を備える。このため、タイマ３０は、実時間クロック３２を備える。クロック３２は、ユニット１６によって給電される。
【００２２】
電話機４は、クロック３２が動作不能化されている場合にも現在時間を更新する現在時間更新モジュール３４も備える。
【００２３】
モジュール３４は、現時点で受信されているフレーム数を通知するユニット３６と、現在時間と受信されたフレーム数とをメモリ４０に記録する記録ユニットまたはレコーダ３８と、開始時間以降に受信されたフレーム数をカウントするカウンタ４２とを有する。
【００２４】
モジュール３４は、実時間クロックが動作可能化されているかどうかを検知するためにクロック３２の動作状態を検査するように設計された、検査モジュール４６と関連付けられている。
【００２５】
モジュール３４および４６は、図２を参照してより詳細に説明される。
【００２６】
プロセッサ１８には、例えばメモリ４０に記録されている命令を実行することができるプログラム可能計算機が実装されている。したがって、メモリ４０は、プロセッサ１８によって実行されたときに図２の方法を実行する命令を含んでいる。
【００２７】
例えば、モジュール３４および４６は、プロセッサ１８内に実装される。
【００２８】
次に、図２を参照して電話機４の動作が説明される。
【００２９】
ユーザが電話機４を初めて使用するときは、ユーザはまず、ステップ６０にある通り従来の手法で電話機４の現在時間を設定する。次にステップ６２で、現在時間は、クロック３２によって生成されたデータを使用して、タイマ３０によって途切れなく更新される。
【００３０】
モジュール４６は、ステップ６２と平行して、ステップ６４でクロック３２の動作状態を検査する。クロック３２が動作可能化され正しく動作している場合には、この方法は、ステップ６２および６４に戻る。
【００３１】
一方、ステップ６４の間に、クロック３２が動作不能化されることをモジュール４６が検知した場合には、電話機４はステップ６６に進む。例えば、モジュール４６は、クロック３２が動作不能化されることになるかどうか検知するために電源電圧が所定の閾値を下回っているかどうかを検査する。下回っている場合には、電話機４の電源が失われ、クロック３２が動作不能化される。
【００３２】
ステップ６６では、ユニット３６が、現時点で受信されているフレーム数を通知し、ステップ６８では、ユニット３８が、通知された数と最近更新された現在時間とをメモリ４０に記録する。
【００３３】
次いで、電力が失われ、全ての移動電話の構成部品が動作不能化される。
【００３４】
引き続きステップ７０で、電源が復旧されたときは、モジュール４６は、クロック３２が再び動作可能化されたかどうかを検知する。次に、ステップ７２で、ユニット３６は、現時点で受信されているフレーム数を通知する。
【００３５】
その後、ステップ７４で、カウンタ４２は、ステップ６８以降に受信されたフレーム数をカウントする。例えば、カウンタ４２は、ステップ７２で通知された数からステップ６８で記録された数を減算する。
【００３６】
ステップ７６で、モジュール３４は、ステップ７４で確立されたカウントから新しい現在時間を判定する。例えば、モジュール３４は後続の関係式、すなわち、
Ｔｎｅｗ＝Ｔｏｌｄ＋ｃ×ΔＴ
を使用し、
上式で、
Ｔｎｅｗは、新しい現在時間であり、
Ｔｏｌｄは、ステップ６８の間に記録された現在時間であり、
「ｃ」は、ステップ６８以降に受信されたフレーム数であり、
ΔＴは、１つのフレームに関する４．６１５ミリ秒の存続期間と等しい一定の時間間隔である。
【００３７】
最後に、ステップ８０で、新しい現在時間Ｔｎｅｗが、現時点の現在時間と置き換わる。ステップ８０の後、この方法はステップ６２および６４に戻る。したがって、新しい現在時間はこれ以降、電話機４の次の電力障害までタイマ３０によって自動的に更新される。
【００３８】
モジュール３４は、実時間クロックを使用せずに現在時間を更新することができる。したがって、電力障害の後に、ユーザは、ステップ６０で行ったような新しい現在時間の設定を行う必要はない。
【００３９】
上記の特定の方法に関する主な利点の１つは、実時間クロックが動作不能化されていた期間の後に、移動電話の現在時間を自動的に設定することである。実時間クロックが動作不能化される期間は、１つのハイパー・フレームの存続期間未満であるべきである。さらに、記載の特定の実施形態では、移動電話は、実時間クロックが動作不能化されている期間中も同じＧＳＭセル内に留まるべきである。
【００４０】
多くの追加的な実施形態が可能である。例えば、現在時間と現在のフレーム数とは、メモリ４０に規則正しい時間間隔で記録され得る。かかる場合には、モジュール４６は省略されてもよい。
【００４１】
上記の実施形態は、電気通信装置が移動電話である特定の状況で説明されてきた。しかし、現在時間を更新するための方法は、ＴＤＭＡ技法を使用して基地局のような別のデバイスと通信する全てのタイプの電気通信装置内に実装され得る。
【００４２】
記載の実施形態は、実時間クロックが動作可能化されている場合にも、または電気通信装置から実時間クロックが省略されている場合にも、現在時間を更新するように適応され得る。
【図面の簡単な説明】
【００４３】
【図１】移動電話の概略図である。
【図２】図１の移動電話の現在時間を更新するための方法の流れ図である。
【図１】
2008503750.tif 000003
【図２】
2008503750.tif 000004
【国際調査報告】
2008503750.tif 000005
2008503750.tif 000006